(57)【要約】【課題】冗長は光送信部を構成する光送信装置において、冗長な光送信部を切り替える際に、光送信装置の光送信信号のレベル変動が発生する。本発明は、光送信部の切り替え時に発生する光送信信号のレベル変動を抑制できる光送信装置の提供することを目的とする。【解決手段】第一の光送信部と第二の光送信部の切り替えを実施する場合に、第一と第二の光送信部のモニタ部からのそれぞれのモニタ信号を監視し、それぞれのモニタ信号に基づいて第一の光送信部と第二の光送信部のそれぞれの光スイッチ部を制御し、第一の光送信部と第二の光送信部のそれぞれの光レベル調整部を制御する。【選択図】図５
2008079163.tif 000002
【特許請求の範囲】
【請求項１】
送信する光信号のレベルを調整する光レベル調整部と、
該光レベル調整部からの光信号を２つの出力ポートのいずれかに切り替える光スイッチ部と、
該光スイッチ部の２つの出力ポートの光信号レベルをそれぞれモニタするモニタ部と、をそれぞれ備える第一と第二の光送信部と、
該第一の光送信部と該第二の光送信部からのそれぞれの光送信信号を結合し出力する光結合部と、
該第一の光送信部と該第二の光送信部の切り替えを実施する場合に、該第一と第二の光送信部のモニタ部からのそれぞれのモニタ信号を監視しそれぞれのモニタ信号に基づいて、該第一と第二の光送信部のそれぞれの光スイッチ部を制御し、該第一と第二の光送信部のそれぞれの光レベル調整部を制御する監視制御部を備えることを特徴とする光送信装置。
【請求項２】
請求項１の光送信装置であって、
該光送信装置の光送信部が前記の第一の光送信部から前記の第二の光送信部に切り替わる場合に、前記のそれぞれの光スイッチ部において、前記の監視制御部の制御に基づいて、該第二の光送信部の光スイッチの切り替えを完了してから該第一の光送信部の光スイッチを切り替えることを特徴とする光送信装置。
【請求項３】
請求項１の光送信装置であって、
前記の光レベル調整部は、送信する光信号を増幅する光増幅部と、該光信号を前記の監視制御部の制御に基づいて減衰する光可変減衰部を備えることを特徴とする光送信装置。
【請求項４】
請求項３の光送信装置であって、
前記の監視制御部は、前記の第一の光送信部と前記の第二の光送信部の切り替えを実施する場合にも、前記の光結合部にて結合された光信号が所定のレベルを保つように、前記のそれぞれの光可変減衰部を制御することを特徴とする光送信装置。
【請求項５】
光送信装置の冗長切り替え方法であって、
前記の第一と第二の光送信部のそれぞれが有する前記の光スイッチ部の２つの出力ポートの光信号レベルのそれぞれをモニタするモニタステップと、
該第一と第二の光送信部が出力するそれぞれの光信号が結合された光信号が所定のレベルになるように、該第一と第二の光送信部の出力するそれぞれの光信号のレベルを調整するレベル調整ステップと、
該第一の光送信部から該第二の光送信部に切り替わる場合に、該第二の光送信部の有する光スイッチの切り替えが完了してから該第一の光送信部の有する光スイッチを切り替える光スイッチ切り替えステップを備えることを特徴とする光送信装置の冗長切り替え方法。
【発明の詳細な説明】
【技術分野】
【０００１】
本発明は、光送信装置および光送信装置の冗長切り替え方法に係り、特に光送信部の冗長構成を有する光送信装置において、その光送信部を切り替えた場合に発生する光送信レベルの変動を抑制する光送信装置および光送信装置の冗長切り替え方法に関する。
【背景技術】
【０００２】
近年、光伝送システムにおいては、システムの信頼性向上のために光伝送装置の主要な機能ユニット、例えば光送信部、光受信部、光多重部等を二重化する構成を採用している光伝送装置が多い。多くの光送信装置は、経年変化による特性の劣化が装置の特性に大きな影響を及ぼす光部品を搭載した光送信部を二重化する構成を採っている。
【０００３】
この二重化構成の光送信部を備える光送信装置は、例えば現用系の光送信部と予備系の光送信部を備える光送信装置の場合、現用系の光送信部の異常等の切り替え要因の発生により、光送信部において現用系の光送信部から予備系への光送信部への切り替えが発生する。この切り替えによって、現用系、予備系の光送信部に同時に切り替え制御が実施されたとしても、光送信装置として送信する光信号にレベル変動が発生する。つまり、現用系の光送信部が光送信を停止してからの光信号のレベル変動と、予備系の光送信部が光送信を開始してからの光信号のレベル変動とによって、光送信装置が送信する光信号の送信レベルの変動が発生する（例えば、特許文献１参照）。
【０００４】
また、現用系の光送信部と予備系の光送信部は常に光信号を送出し、それぞれの光送信部の出力部分に備える光スイッチによって、現用系の光送信部が送信する光信号と予備系の光送信部が送信する光信号を切り替えることによって、光送信部の切り替えを実施する構成も考えられる。しかし、本構成においても、使用する光スイッチの個々の特性により、現用系の光送信部が備える光スイッチと予備系の光送信部が備える光スイッチの切り替わるタイミングが異なる。そのために、光送信部が現用系から予備系に切り替わる場合、光送信装置が送信する光信号の送信レベルの変動が発生する。
【特許文献１】特開平６−２１６８４７号公報
【発明の開示】
【発明が解決しようとする課題】
【０００５】
以上記載したように、冗長な光送信部を構成する光部品等の動作タイミングのばらつきによって、冗長な光送信部を切り替える際に、光送信装置の送信する光信号のレベル変動が発生する
本発明は、冗長な光送信部を備える構成において、光送信部を切り替える際に、送信する光信号のレベル変動を抑制する光送信装置を提供することを目的とする。
【課題を解決するための手段】
【０００６】
本発明の第一の態様は、送信する光信号のレベルを調整する光レベル調整部と、該光レベル調整部からの光信号を２つの出力ポートのいずれかに切り替える光スイッチ部と、該光スイッチ部の２つの出力ポートの光信号レベルをそれぞれモニタするモニタ部とをそれぞれ備える第一と第二の光送信部と、
該第一と第二の光送信部からのそれぞれの光送信信号を結合し出力する光結合部と、該第一の光送信部と該第二の光送信部の切り替えを実施する場合に、該第一と第二の光送信部のモニタ部からのそれぞれのモニタ信号を監視しそれぞれのモニタ信号に基づいて、該第一と第二の光送信部のそれぞれの光スイッチ部を制御し、該第一と第二の光送信部のそれぞれの光レベル調整部を制御する監視制御部を備えることを特徴とする光送信装置である。
【０００７】
本発明の第一の態様によれば、光送信部の光スイッチ部が切り替わったことを判別することが可能となり、光スイッチの状態に応じて第一と第二の光送信部のそれぞれが送信する光信号レベルを調整できる光送信装置を提供することが可能となる。
【０００８】
本発明の第二の態様は、光送信装置の冗長切り替え方法であって、
前記の第一と第二の光送信部のそれぞれが有する前記の光スイッチ部の２つの出力ポートの光信号レベルのそれぞれをモニタするモニタステップと、該第一と第二の光送信部が出力するそれぞれの光信号が結合された光信号が所定のレベルになるように、該第一と第二の光送信部の出力するそれぞれの光信号のレベルを調整するレベル調整ステップと、該第一の光送信部から該第二の光送信部に切り替わる場合に、該第二の光送信部の有する光スイッチの切り替えが完了してから該第一の光送信部の有する光スイッチを切り替える光スイッチ切り替えステップを備えることを特徴とする光送信装置の冗長切り替え方法である。
【０００９】
本発明の第二の態様によれば、光送信部の光スイッチ部が切り替わったことを判別することが可能となり、光スイッチの状態に応じて第一と第二の光送信部のそれぞれが送信する光信号レベルを調整できる光送信装置の冗長切り替え方法を提供することが可能となる。
【発明の効果】
【００１０】
本発明は、光送信部の冗長構成を有する光送信装置において、冗長構成の光送信部を切り替える際に発生していた光送信信号のレベル変動を抑制することができるという利点がある。
【発明を実施するための最良の形態】
【００１１】
以降、図面を併用して本発明の詳細を説明する。なお、図面において同一のものまたは類似するものについては同一の符号を記載する。
（実施例１）
図１は本発明の基本構成を説明する図（１）である。１０は現用系の光送信部であり、送信信号を光信号に変換し、所定の光レベルを有した光信号を送信する。２０は予備系の光送信部であり、現用系の光送信部１０と同様な構成の光送信部である。３０は光結合部であり、光ケーブルによって現用系の光送信部１０及び予備系の光送信部２０と接続され、現用系の光送信部１０及び予備系の光送信部２０のそれぞれからの光信号を結合して出力する。４０は監視制御部であり、光送信部１０，２０と接続し、光送信部１０，２０の監視及び制御を行う。光送信部１０は、光レベル調整部１２、光スイッチ部１３、モニタ部１５，１６から構成する。光送信部２０も同様に、光レベル調整部２２、光スイッチ部２３、モニタ部２５，２６から構成する。
【００１２】
光送信部１０は監視制御部４０に、光送信部１０の異常を通知する監視信号（１１）、モニタ部１５にて光信号をモニタしたモニタ信号（１３）、モニタ部１６にて光信号をモニタしたモニタ信号（１４）を送信する。また、光送信部１０は監視制御部４０から、光スイッチ部１３の接続状態を制御する制御信号（１２）、光レベル調整部１２にて光信号の送信レベルを制御する制御信号（１５）を受信する。
【００１３】
光レベル調整部１２は受信する光信号の光レベルを制御信号（１５）に基づいて調整し光スイッチ部１３へ出力する。光スイッチ部１３は監視制御部４０からの制御信号（１２）に基づいてポートＣをポートＡもしくはポートＢの何れかに接続し、ポートＣに入力する光信号をポートＡもしくはポートＢの何れかに出力する。モニタ部１５は光スイッチ部のポートＢに出力される光信号をモニタしモニタ信号（１３）を監視制御部４０へ送信する。モニタ部１６は光スイッチ部のポートＡに出力される光信号をモニタしモニタ信号（１４）を監視制御部４０へ送信する。
【００１４】
予備系の光送信部２０を構成する光レベル調整部２２、光スイッチ部２３、モニタ部２５，２６は前記の現用系の光送信部１０を構成する光レベル調整部１２、光スイッチ部１３、モニタ部１５，１６と同様である。
【００１５】
監視制御部４０は、正常時に、つまり現用系の光送信部１０に対する切り替え要因が発生していない状態において、現用系の光送信部１０の光スイッチ部１３に対してポートＣとポートＢを接続するように制御する制御信号（１２）を送信し、予備系の光送信部２０の光スイッチ部２３に対してポートＣとポートＡを接続するように制御する制御信号（２２）を送信する。また、監視制御部４０は、光スイッチ部１３のポートＢから出力する光信号をモニタしたモニタ信号（１３）に基づいて、そのポートＢの光信号レベルが所定のレベルになるように光レベル調整部１２を制御する制御信号（１５）を生成し出力する。また、光スイッチ部２３のポートＡから出力する光信号をモニタしたモニタ信号（２４）に基づいて、そのポートＡの光信号レベルが所定のレベルになるように光レベル調整部２２を制御する制御信号（２５）を生成し出力する。
【００１６】
図２は本発明の基本構成を説明する図（２）である。光送信部の現用系を光送信部１０から光送信部２０に切り替える途中の状態を示している。前記の図１に比べて光スイッチ部２３の接続状態が異なり、ポートＣはポートＢに接続されている。また、光スイッチ部１３の接続状態は図１と同じである。
【００１７】
監視制御部４０は、図１の状態において、例えば、監視信号（１１）によって現用系の光送信部１０に異常が発生していること、そして監視信号（２１）によって予備系の光送信部２０に異常が発生していないことを判別する。そして監視制御部４０は、光送信部の現用系を光送信部１０から光送信部２０に切り替える制御を実施する。この結果、図２の状態になる。この制御について以下に記載する。
【００１８】
監視制御部４０は予備系の光送信部２０の光スイッチ部２３に対してポートＣとポートＢを接続するように制御する制御信号（２２）を送信する。監視制御部４０はモニタ信号（２３）によって光スイッチ部２３のポートＢでの光信号レベルが大きくなり、モニタ信号（２４）によって光スイッチ部２３のポートＡでの光信号レベルが小さくなったことにより、光スイッチ部２３のポートＣの接続先がポートＡからポートＢに変化したことを判別する。監視制御部４０はモニタ信号（１３）とモニタ信号（２３）によってそれぞれの光信号レベルを監視し、モニタ部１５がモニタする光信号レベルが漸次小さくなるように、且つ、モニタ部２５がモニタする光信号レベルが漸次大きくなるようにすると共に、それぞれの光レベルの和が所定のレベルになるように、光レベル調整部１２、２２のそれぞれを制御する制御信号（１５）、（２５）のそれぞれを生成し出力する。
【００１９】
図３は本発明の基本構成を説明する図（３）である。光送信部の現用系が光送信部１０から光送信部２０に切り替わった状態を示している。前記の図２に比べて光スイッチ部１３の接続状態が異なり、ポートＣはポートＡに接続されている。また、光スイッチ部２３の接続状態は図２と同じである。
【００２０】
監視制御部４０は、図２の状態において、光送信部１０の送信する光信号レベルが充分に低くなったことをモニタ信号（１３）の監視によって判別した場合、光送信部１０の光スイッチ部１３に対してポートＣとポートＢを接続するように制御する制御信号（１２）を送信する。この結果、図３の状態になる。
【００２１】
監視制御部４０は、光スイッチ部２３のポートＢから出力する光信号をモニタしたモニタ信号（２３）に基づいて、ポートＢの光信号レベルが所定のレベルになるように光レベル調整部２２を制御する制御信号（２５）を生成し出力する。
【００２２】
以上の図１から図３に基づいて本発明の基本構成を説明したように、モニタ部１５、１６とモニタ部２５、２６によって、光スイッチ部１３と光スイッチ部２３の実際に切り替わったことが判別できる。そして、予備系の光送信部２０の光スイッチ部２３が実際に切り替わった後に、光送信部１０、２０のそれぞれからの光信号を結合した光信号レベルが所定のレベルになるように制御しているので、現用系から予備系への光送信部の切り替えの際に、光送信装置が送信する光信号の光レベルの変動を抑制することが可能となる。
（実施例２）
図４は本発明の構成と切り替え状態を説明する図（１）である。
【００２３】
図５は本発明の構成と切り替え状態を説明する図（２）である。
【００２４】
図６は本発明の構成と切り替え状態を説明する図（３）である。
【００２５】
図４，５，６は図１,２,３のそれぞれに対応している。
【００２６】
１１は光信号生成部であり、送信する光信号を生成し、光レベル調整部１２に送信する。
【００２７】
光レベル調整部１２は光増幅部１２１と光可変減衰部１２２から構成し、光増幅部１２１は入力される光信号を所定のレベルに増幅し、光可変減衰部１２２は制御信号（１５）に基づいて入力される光信号を減衰させる。光増幅部１２１と光可変減衰部１２２によって、光スイッチ部１３の入力ポートＣでの光レベルを所定のレベルに維持している。つまり、光レベル調整部１２によって光送信部１０の送信する光送信レベルを所定のレベルに調整している。
【００２８】
光スイッチ部１３は、監視制御部４０からの制御信号（１２）に基づいてポートＣをポートＡもしくはポートＢの何れか接続し、ポートＣに入力する光信号をポートＡもしくはポートＢの何れか出力する。
【００２９】
光分配部１４は光スイッチ部１３のポートＢに出力される光信号を光結合部３０とモニタ部１５に分配する。
【００３０】
モニタ部１５は光スイッチ部１３のポートＢに出力される光信号をモニタしモニタ信号（１３）を監視制御部４０へ送信する。
【００３１】
モニタ部１６は光スイッチ部１３のポートＡに出力される光信号をモニタしモニタ信号（１４）を監視制御部４０へ送信する。
【００３２】
光送信部２０を構成する光信号生成部２１、光増幅部２２１、光可変減衰部２２２、光スイッチ部２３、光分配部２４、そしてモニタ部２５，２６は、上記の光送信部１０を構成するそれぞれと同様である。
【００３３】
図７は本発明の監視制御部４０を説明する図である。モニタレベル監視部４１１はモニタ信号（１３）、（１４）によって光スイッチ部１３のポートＡ、Ｂのそれぞれより出力される光信号の光レベルを監視する。モニタレベル監視部４１２はモニタ信号（２３）、（２４）によって光スイッチ部２３のそれぞれのポートＡ、Ｂのそれぞれより出力される光信号の光レベルを監視する。それぞれの監視結果において異常があった場合は、後で説明する警報監視部４２にモニタレベルの異常を通知する。
【００３４】
警報監視部４２は光送信部１０、２０からの警報信号（１１）、（２１）による光信号生成部１１，２１の異常の通知と、警報監視部４２からのモニタレベルの異常の通知、及び保守のために光送信部の切り替えを実施するための現用予備切り替え信号（３１）の通知を受けることによって、現用系及び予備系のそれぞれの異常状態を示す警報信号を生成し、光スイッチ制御部４３に通知する。
【００３５】
光スイッチ制御部４３は、警報監視部４２から通知される前記の警報信号に基づいて、そしてモニタ信号（１３）、（１４）、（２３）、（２４）による光スイッチ部の接続状態を監視して、光スイッチ部１３、２３の接続を制御する制御信号（１２）、（２２）を生成する。また制御信号（１２）、（２２）と同等の信号を後で説明するレベル制御部Ｂ４４に通知する。
【００３６】
レベル制御部Ａ４４１はモニタ信号（１３）、（１４）に基づいて、光レベル調整部１２の出力する光信号レベルを所定のレベルにするための制御信号を生成する。同様に、レベル制御部Ａ４４２はモニタ信号（２３）、（２４）に基づいて、光レベル調整部２２の出力する光信号レベルを所定のレベルにする制御信号を生成する。
【００３７】
レベル制御部Ｂ４４は、前記の図２において説明した光送信部の切り替えの途中状態において、光レベル調整部１２、２２の減衰量を制御する制御信号をそれぞれ生成する。例えば、図２においては、光レベル調整部１２の減衰量を増加する制御信号と、光レベル調整部２２の減衰量を低減する制御信号をそれぞれ生成する。
【００３８】
加算部４６１は、レベル制御部Ａ４４１の生成した制御信号とレベル制御部Ｂ４４の生成した現用系のための制御信号とを加算して制御信号（１５）を生成する。同様に、加算部４６２は、レベル制御部Ａ４４２が生成した制御信号とレベル制御部Ｂ４４が生成した予備系のための制御信号とを加算して制御信号（２５）を生成する。
【００３９】
図８は切り替え動作タイミングを説明する図である。現用系の光送信部を光送信部１０から光送信部２０に切り替える場合の光送信装置の動作について、監視制御部４０に関係する信号、及び光スイッチ部１３，２３の接続状態について示している。
【００４０】
タイミングＴ１は、現用系の光送信部を切り替える要因となる警報が発生するタイミングである。
【００４１】
タイミングＴ２は、Ｔ１で発生した警報によって予備系の光送信部２０の光スイッチ部２３を切り替える制御タイミングである。
【００４２】
タイミングＴ３は、光スイッチ部２３が実際に切り替わったタイミングである。
【００４３】
タイミングＴ４は、現用系の光送信部１０の光スイッチ部１３を切り替える制御タイミングである。
【００４４】
タイミングＴ５は、光スイッチ部１３が実際に切り替わったタイミングである。
【００４５】
以降、図４〜図８を用いて、現用系の光送信部を光送信部１０から光送信部２０に切り替える光送信装置の動作について説明する。
【００４６】
図４は、光送信部１０が現用系の光送信部として、光送信部２０が予備系の光送信部として動作していることを示している。図８のタイミングＴ１以前の状態である。
【００４７】
先ず、現用系の光送信部１０について説明する。
【００４８】
光信号生成部１１は、例えば電気レベルの送信信号を光信号に変換して、送信する光信号を生成し、光レベル調整部１２へ送信する。
【００４９】
光レベル調整部１２の光増幅部１２１は、受信した光信号を所定の光レベルになるように増幅し、光可変減衰部１２２は制御信号（１５）に基づいて出力する光信号の光レベルが所定のレベルになるように光信号レベルを減衰する。
【００５０】
光スイッチ部１３は制御信号（１２）に基づいてポートＣをポートＡもしくはポートＢのいずれかに接続する。タイミングＴ１以前の状態では入力のポートＣはポートＢに接続されている。なお、後で説明するが光スイッチ部１３が切り替わるタイミングＴ４までは本状態が継続する。
【００５１】
光分配部１４は光スイッチ部１３の出力ポートＢからの光信号を、例えば“１０：１”に分配して、“１０”側の光信号を光送信部１０の出力する光信号として送信し、“１”側の光信号をモニタする光信号として送信する。
【００５２】
モニタ部１５は、光送信部１０が送信する光信号の分配された光信号を、例えばフォトダイオード（ＰＤ：photo diode）によってモニタし、モニタ信号（１３）を監視制御部４０に通知する。
【００５３】
モニタ部１６は、光スイッチ部１３の出力ポートＡからの光信号を例えばＰＤによってモニタし、モニタ信号（１４）を監視制御部４０に通知する。ポートＡからの光信号はタイミングＴ４まで無信号の状態が継続する。
【００５４】
次に、予備系の光送信部２０を説明する。
【００５５】
光信号送信部２１は光信号送信部１１と同様であり、例えば、光信号送信部１１に入力される信号と同じ電気レベルの送信信号を光信号に変換して、送信する光信号を生成し、光レベル調整部２２へ送信する。
【００５６】
光レベル調整部２２は光レベル調整部１２と同様であり、光増幅部２２１は受信した光信号を所定の光レベルになるように増幅し、光可変減衰部２２２は制御信号（２５）に基づいて出力する光信号の光レベルが所定のレベルになるように光信号レベルを減衰する。ただし、予備系であるため、制御信号（２５）は光信号の有無が判別できる程度まで減衰するように光可変減衰部２２２を制御する。本制御はタイミングＴ３まで継続する。
【００５７】
光スイッチ部２３は制御信号（２２）に基づいてポートＣをポートＡもしくはポートＢのいずれかに接続する。タイミングＴ１以前の状態では入力のポートＣはポートＡに接続されている。本制御はタイミングＴ２まで継続する。
【００５８】
光分配部２４は光スイッチ部２３の出力ポートＢからの光信号を、例えば“１０：１”に分配して、“１０”側の光信号を光送信部２０の出力する光信号として送信し、“１”側の光信号をモニタする光信号として送信する。
【００５９】
モニタ部２５は、光送信部２０が送信する光信号の分配された光信号を、例えばＰＤによってモニタし、モニタ信号（２３）を監視制御部４０に通知する。
【００６０】
モニタ部２６は、光スイッチ部２３の出力ポートＡからの光信号を、例えばＰＤによってモニタし、モニタ信号（２４）を監視制御部４０に通知する。ポートＡからの光信号はタイミングＴ２まで大きく減衰された状態が継続する。
【００６１】
光結合部３０は、光送信部１０が送信する光信号と光送信部２０が送信する光信号を結合して送信する。図４の状態においては、つまりタイミングＴ３までは予備系の光送信部２０が送信する光信号はないので、現用系の光送信部１０が送信する光信号を送信している。
【００６２】
図４に示した光送信部１０が現用系として維持されている状態、つまり図８のタイミングＴ１以前の状態においては、図７に示す監視制御部４０では、光スイッチ制御部４３は前記で説明した光スイッチ部１３、２３の接続を制御する制御信号（１２）、（２２）を生成している。
【００６３】
レベル制御部Ｂ４４は光スイッチ制御部４３からの信号により切り替えが発生していないことを判別し、加算部４６２に光可変減衰部２２２での前記で説明した所定の減衰量（モニタ信号（２４）によって光スイッチ部２３のポートＡでの光信号の有無が判別できる程度まで減衰する減衰量。）を加算する信号を送信している。
【００６４】
レベル制御部Ａ４４１はモニタ信号（１３）に基づいてモニタレベルが所定の一定レベルになるように減衰量を制御する信号を生成している。
【００６５】
レベル制御部Ａ４４２はモニタ信号（２３）が無信号であるため制御信号を発生していない状態である。
【００６６】
図５は、切り替え要因が発生し予備系の光送信部２０の光スイッチ部２３が切り替わった状態を示している。以降、図８におけるタイミングＴ１〜Ｔ４について説明する。
【００６７】
先ず、図４に示す状態である。
【００６８】
タイミングＴ１では、現用系の光送信部１０において切り替え要因となる警報、例えば光信号生成部１１でのレーザダイオード（ＬＤ）電流異常による警報（監視信号（１１））が発生し、予備系の光送信部２０においては正常な状態（警報信号（２１））である。
【００６９】
タイミングＴ１で発生した警報信号（１１）で示す警報によって、警報監視部４２は警報信号（２１）にて予備系の光送信部２０が正常であること、モニタレベル監視部４１２からの通知情報によって予備系の光送信部２０の光送信信号に異常がないことを判別し、光スイッチ制御部４３に対し、現用系の光送信部１０の異常、予備系の光送信部２０の正常を通知する。光スイッチ制御部４３は、モニタ信号（１３）、（２４）によって光スイッチ部１３のポートＢ、光スイッチ部２３のポートＡのそれぞれを光信号が通っていること、及びモニタ信号（１４）、（２３）によってスイッチ部１３のポートＡ、光スイッチ部２３のポートＢのそれぞれを光信号が通っていないことによって、スイッチ部１３、２３の接続状態を判別し、光スイッチ部２３を切り替えるための制御信号（２２）を生成する。
【００７０】
タイミングＴ２は、光スイッチ部２３を切り替えるための制御信号（２２）が発生したタイミングである。
【００７１】
タイミングＴ３は、上記の制御信号（２２）を受けた光スイッチ部２３の接続状態が、ポートＣとポートＢの接続状態に切り替わったタイミングであり、図５の状態となる。この光スイッチ部２３の切り替えによって、モニタ信号（２３）には光信号が無かった状態から光信号が有る状態に変化し、モニタ信号（２４）には光信号が有った状態から無くなった状態に変化する。
【００７２】
次に、図５に示す状態である。図８のタイミングＴ３からＴ４までの動作を説明する。
【００７３】
レベル制御部Ｂ４４は、光スイッチ制御部４３からの光スイッチ部１３、２３の接続を制御する制御信号（１２）、（２２）と同等の信号を受け、そしてモニタ信号（２３）により、光スイッチ２３が実際に切り替わったことを判別する（タイミングＴ３）。
【００７４】
そして、モニタ信号（１３）、（２３）でのモニタレベルに基づいて、光結合部３０の光信号を結合した光信号レベルが所定レベルになるように、現用系の光可変減衰部１２２での減衰量を漸次増やし、かつ予備系の光可変減衰部２２２での減衰量を漸次減らし、制御信号（１５）、（２５）における制御量を調整する（タイミングＴ３〜Ｔ４）。
【００７５】
なお、光送信装置の仕様で決定される光送信部の切り替え時間に基づいて、前記の制御信号（１５）、（２５）の制御量は決定される。
【００７６】
タイミングＴ４は、現用系の光スイッチ部１３を切り替えるタイミングである。
【００７７】
光スイッチ制御部４３は、現用系の送信信号の光信号レベルを示すモニタ信号（１３）により、現用系の光可変減衰部１２２での減衰量が大きくなり現用系の光信号レベルが所定のレベル以下になって十分に小さくなったことを判別し、現用系の光スイッチ部１３を切り替えるための制御信号（１２）を生成する。
【００７８】
レベル制御部Ｂ４４は、光スイッチ制御部４３からの光スイッチ部１３の切り替えの通知を受け、光可変減衰部１２２、２２２への減衰量の制御を現状態に保持するように、制御信号（１５）、（２５）の制御量を調整する。
【００７９】
タイミングＴ５は、上記の制御信号（１２）を受けた光スイッチ部１３の接続状態が、ポートＣとポートＡの接続状態に切り替わったタイミングである。この光スイッチ部１３の切り替えによって、モニタ信号（１３）には光信号が有った状態から無くなった状態に変化し、モニタ信号（１４）には光信号が無かった状態から光信号が有る状態に変化する。
【００８０】
図６は上記のタイミングＴ５以降の、現用系の光スイッチ部１３が切り替わって、光送信部２０が現用系の光送信部になった状態を示している。
【００８１】
タイミングＴ５以降では、光送信装置が送信する光信号は光送信部２０が送信する光信号となる。レベル制御部Ａ４４２はモニタ信号（２３）に基づいて、光送信装置が送信する光信号レベルが所定のレベルになるように制御信号（２５）を生成している。
【００８２】
前記の説明において、光送信部の切り替え要因として、光信号生成部１１での異常発生（監視信号（１１）にて示す。）について説明したが、現用系のモニタレベル監視部４１１による現用系の光送信信号のレベル異常を切り替え要因としても動作可能である。また、図７の説明において記載したように、保守のための光送信部の切り替え時に生成される現用予備切り替え信号（３１）に基づいて、同様に切り替えが可能である。
【００８３】
以上に記載した光送信部の切り替えにおいて、光スイッチ部１３，２３の出力ポートであるポートＡ，ポートＢの光信号レベルと、ポートＢの光信号を分配する光分配部１４，２４について更に説明する。
【００８４】
図４の構成の場合、光スイッチ部１３のポートＡと光スイッチ部２３のポートＢには出力される光信号は無い。光スイッチ部１３のポートＢの光信号レベルは、制御信号（１５）に基づく光可変減衰部１２２によって、光送信装置が送信する一定の光信号レベルにほぼ等しくなる。そして、光スイッチ部２３のポートＡの光信号レベルは、制御信号（２５）に基づく光可変減衰部２２２によって、所定の低レベルにまで減衰されている。
【００８５】
図５の構成の場合、光スイッチ部１３のポートＡと光スイッチ部２３のポートＡには出力される光信号は無い。光スイッチ部１３のポートＢの光信号レベルは、制御信号（１５）に基づく光可変減衰部１２２によって、光送信装置が送信する光信号レベルから漸次所定の低レベルにまで減衰されていく。そして、光スイッチ部２３のポートＢの光信号レベルは、制御信号（２５）に基づく光可変減衰部２２２によって、所定の低レベルから漸次光送信装置が送信する光信号レベルにまで増加されていく。
【００８６】
図６の構成の場合、光スイッチ部１３のポートＢと光スイッチ部２３のポートＡには出力される光信号は無い。光スイッチ部１３のポートＡの光信号レベルは、制御信号（１５）に基づく光可変減衰部１２２によって、所定の低レベルにまで減衰されている。そして、光スイッチ部２３のポートＡの光信号レベルは、制御信号（２５）に基づく光可変減衰部２２２によって、光送信装置が送信する一定の光信号レベルにほぼ等しくなっている。
【００８７】
上記のように、モニタ部１５，２５は、光送信部の切り替わる際に大きく変化する光信号レベルをモニタし、モニタ部１６，２６は所定の低レベルの光信号をモニタすることによって、光可変減衰部１２２，２２２を制御している。
【００８８】
よって、光分配部１４，２４によって分配された、モニタ部１５，２５がモニタする光信号レベルは、モニタ部１５，２５のモニタする光レベルの範囲と、光送信装置が送信する光信号レベルと、そしてモニタ部１６，２６のモニタする光レベルを考慮し、制御信号（１５）、（２５）を作成するレベル制御部Ａ４４１，４４２とレベル制御部Ｂ４４の制御方式に基づいて、決めることになり、光分配部１２，２４の分配比は決定される。
【００８９】
以上、説明したように光送信部を切り替える場合に、光スイッチの２つの出力ポートにおける光信号をそれぞれモニタすることによって、光スイッチが実際に切り替わったことを判別することができる。そして、予備系の光送信部の光スイッチを切り替えてから、現用系の光送信部の光スイッチを切り替える際に、現用系、予備系のそれぞれの光送信部から送信される光信号の結合した光信号レベルが所定のレベルになり、且つ、現用系の光送信部から送出される光信号レベルを漸次低減することによって、光送信部の切り替えによって発生する光送信信号のレベル変動を抑制することが可能となる。
（実施例３）
図９は本発明の切り替え制御フローを説明する図である。
【００９０】
Ｓ００．  図１、図４に示すような現用系の光送信部として光送信部１０が使用されている状態である。
【００９１】
Ｓ０１．  現用系の光送信部として使用されている光送信部１０において、モニタ部１５でモニタした光信号のモニタ信号（１３）に基づいて、監視制御部４０のレベル制御部Ａ４４１は光送信部１０が送信する光信号が所定のレベルを確保するよう光レベル調整部１２を制御する。
【００９２】
Ｓ０２．  監視制御部４０は光送信部を切り替える要因となる異常や警報を判別する。例えば、光信号生成部１１でのＬＤ電流異常、またはモニタレベル監視部４１１でのモニタ信号レベル異常である。また、保守のための切り替え指示も切り替え要因となる。
【００９３】
Ｓ０３．  ステップＳ０２において切り替え要因が発生した場合である。監視制御部４０は予備系の光送信部２０の光スイッチ部２３に対して切り替えを実行する制御信号（２２）を生成する。光スイッチ部２３は切り替えを実行する。
【００９４】
Ｓ０４．  監視制御部４０は、光スイッチ部２３が切り替わったことを判別し、現用系の光送信部１０の光レベル調整部１２に対して、送信する光信号レベルを漸次低下させるように制御信号（１５）を生成し、予備系の光送信部２０の光レベル調整部２２に対して、送信する光信号レベルを漸次増加するように制御信号（２５）を生成する。光レベル調整部１２の光可変減衰部１２２は制御信号（１５）に基づいて減衰量を増やし、光レベル調整部２２の光可変減衰部２２２は制御信号（２５）に基づいて減衰量を減らす。そして前記の制御と共に、現用系の光送信部１０が送信する光信号レベルと予備系の光送信部２０が送信する光信号レベルの結合した光信号レベルが所定のレベルになるように制御する。本制御は、モニタ信号（１３）、（２３）に基づいて、レベル制御部Ｂ４４が前記の結合した光信号レベルを求め、現用系の光送信部１０の光可変減衰部１２２の減衰量を予め決められた時間に予め決められた減衰を行うように設定し、予備系の光送信部２０の光可変減衰部２２２の減衰量を調整する。
【００９５】
Ｓ０５．  監視制御部４０のレベル制御部Ｂ４４は、モニタ信号（１３）によって現用系の光送信部１０が送信する光信号レベルが所定のレベル以下になったかを判別する。
【００９６】
Ｓ０６．  ステップＳ０５において、現用系の光送信部１０が送信する光信号レベルが所定のレベル以下になった場合であり、現用系の光送信部１０の光スイッチ部１３に対して切り替えを実行する制御信号（１２）を生成する。現用系の光スイッチ部１３は切り替えを実行する。
【００９７】
Ｓ０７．  ステップＳ０６が完了することによって、光送信部２０は現用系の光送信部となり、光送信装置は光送信部２０の送信する光信号を送信する。
【００９８】
以上の制御フローにより、光送信装置に切り替え要因が発生した場合、予備系の光送信部を切り替えた後に現用系の光送信部を切り替え、予備系と現用系の光送信部のそれぞれが送信する光信号を結合した光信号レベルが所定のレベルになるように制御される。そして、現用系の光送信装置を切り替える際には現用系の光送信部が送信する光信号レベルは所定のレベル以下になっているので、切り替えの際に発生する光送信信号レベルの変動は抑制することができる。
【００９９】
以上の実施例１〜３を含む実施形態に関し、更に以下の付記を開示する。
【０１００】
（付記１）  
送信する光信号のレベルを調整する光レベル調整部と、
該光レベル調整部からの光信号を２つの出力ポートのいずれかに切り替える光スイッチ部と、
該光スイッチ部の２つの出力ポートの光信号レベルをそれぞれモニタするモニタ部と、をそれぞれ備える第一と第二の光送信部と、
該第一と第二の光送信部からのそれぞれの光送信信号を結合し出力する光結合部と、
該第一の光送信部と該第二の光送信部の切り替えを実施する場合に、該第一と第二の光送信部のモニタ部からのそれぞれのモニタ信号を監視しそれぞれのモニタ信号に基づいて、該第一と第二の光送信部のそれぞれの光スイッチ部を制御し、該第一と第二の光送信部のそれぞれの光レベル調整部を制御する監視制御部を備えることを特徴とする光送信装置。
【０１０１】
（付記２）
付記１の光送信装置であって、
該光送信装置の光送信部が前記の第一の光送信部から前記の第二の光送信部に切り替わる場合に、前記のそれぞれの光スイッチ部において、前記の監視制御部の制御に基づいて、該第二の光送信部の光スイッチの切り替えを完了してから該第一の光送信部の光スイッチを切り替えることを特徴とする光送信装置。
【０１０２】
（付記３）
付記１の光送信装置であって、
前記の光レベル調整部は、送信する光信号を増幅する光増幅部と、該光信号を前記の監視制御部の制御に基づいて減衰する光可変減衰部を備えることを特徴とする光送信装置。
【０１０３】
（付記４）
付記３の光送信装置であって、
前記の監視制御部は、前記の第一の光送信部と前記の第二の光送信部の切り替えを実施する場合にも、前記の光結合部にて結合された光信号が所定のレベルを保つように、前記のそれぞれの光可変減衰部を制御することを特徴とする光送信装置。
【０１０４】
（付記５）
付記１の光送信装置であって、
前記のモニタ部は、前記の光スイッチの２つの出力ポートのうち、前記の光結合部に向けて出力する該出力ポートの光信号を分配する光分配部を介してモニタする第１のモニタ部と、他の出力ポートの光信号を直接モニタする第２のモニタ部を備えることを特徴とする光送信装置。
【０１０５】
（付記６）
付記１の光送信装置であって、
前記の送信する光信号を生成する光信号生成部は、第一の光信号生成部、第二の光信号生成部のいずれにおいても所定のレベルの光信号を発出することを特徴とする光送信装置。
【０１０６】
（付記７）
光送信装置の冗長切り替え方法であって、
前記の第一と第二の光送信部のそれぞれが有する前記の光スイッチ部の２つの出力ポートの光信号レベルのそれぞれをモニタするモニタステップと、
該第一と第二の光送信部が出力するそれぞれの光信号が結合された光信号が所定のレベルになるように、該第一と第二の光送信部の出力するそれぞれの光信号のレベルを調整するレベル調整ステップと、
該第一の光送信部から該第二の光送信部に切り替わる場合に、該第二の光送信部の有する光スイッチの切り替えが完了してから該第一の光送信部の有する光スイッチを切り替える光スイッチ切り替えステップを備えることを特徴とする光送信装置の冗長切り替え方法。
【０１０７】
（付記８）
付記７の光送信装置の冗長切り替え方法であって、
前記のレベル調整ステップは、前記の第一と第二の光送信部のそれぞれが有する光可変減衰部を制御することを特徴とする光送信装置の冗長切り替え方法。
【０１０８】
（付記９）
付記７の光送信装置の冗長切り替え方法であって、
前記のモニタステップは、前記の光スイッチの２つの出力ポートのうち、前記の光合波部に向けて出力する該出力ポートの光信号を分配する光分配部を介してモニタし、他の出力ポートの光信号を直接モニタすることを特徴とする光送信装置の冗長切り替え方法。
【図面の簡単な説明】
【０１０９】
【図１】本発明の基本構成を説明する図（１）
【図２】本発明の基本構成を説明する図（２）
【図３】本発明の基本構成を説明する図（３）
【図４】本発明の構成と切り替え状態を説明する図（１）
【図５】本発明の構成と切り替え状態を説明する図（２）
【図６】本発明の構成と切り替え状態を説明する図（３）
【図７】本発明の監視制御部を説明する図
【図８】切り替え動作タイミングを説明する図
【図９】本発明の切り替え制御フローを説明する図
【符号の説明】
【０１１０】
１０、２０    光送信部
１１、２１    光信号生成部
１２、２２    光レベル調整部
１２１、１２２    光増幅部
１２２、２２２    光可変減衰部
１３、２３    光スイッチ部
１４、２４    光分配部
１５、２５    モニタ部
１６、２６    モニタ部
３０    光結合部
４０    監視制御部
４１１、４１２    モニタレベル監視部
４２    警報監視部
４３    光スイッチ制御部
４４    レベル制御部Ｂ
４４１、４４２    レベル制御部Ａ
４６１、４６２    加算部
【図１】
2008079163.tif 000003
【図２】
2008079163.tif 000004
【図３】
2008079163.tif 000005
【図４】
2008079163.tif 000006
【図５】
2008079163.tif 000007
【図６】
2008079163.tif 000008
【図７】
2008079163.tif 000009
【図８】
2008079163.tif 000010
【図９】
2008079163.tif 000011